(57)【特許請求の範囲】
【請求項１】
足を乗せる踏み台を有する上部ケースと、該上部ケースを支持する下部ケースとよりなる本体と、上部ケースの内部底面に設けられて前記踏み台に乗せた足に水を断続的に噴射する下面噴射手段及び上面噴射手段と、前記下面及び上面噴射手段に加圧した水を送水するポンプとを具備して成る足マッサージ器において、
前記本体は、上部ケースが下部ケースに回転可能にヒンジ結合されると共に、前記上部ケースが角度調節手段により角度調節可能に結合され、前記角度調節手段は前記下部ケースの上面板の前方端部に固定された固定管と、該固定管の内部にスプリングを介在して挿入され、上端部が半球型に形成された調節棒と、前記上部ケースの底面の前方端部に形成され、前記調節棒の上端部が接触支持されるシーツ部と、前記固定管の上端部に結合されるセットスクリュウと、により構成されたことを特徴とする足マッサージ器。
【請求項２】
前記上部ケースの内部後方側に設けられて水を断続的に噴射する後面噴射手段が更に設けられてなることを特徴とする請求項１記載の足マッサージ器。
【請求項３】
前記上部ケースの内部には下方側の噴射ヘッドと間隔を維持しながら足を載せるための踏み台が結合され、前記上部ケースの底面中間部には１対のローラ支持板が形成され、該ローラ支持板には軸棒が固定され、該軸棒の両方側には指圧ローラがそれぞれ結合されることを特徴とする請求項１又は２記載の足マッサージ器。
【請求項４】
前記上部ケースの一方側には、足を乾燥させるための熱風乾燥手段が結合されることを特徴とする請求項１又は２記載の足マッサージ器。
【請求項５】
前記上部ケースの一方側には、芳香剤噴射手段が結合されることを特徴とする請求項１記載の足マッサージ器。
【請求項６】
前記下部ケースの開口部の内側に着脱可能な水桶が挿入され、前記ポンプの給水管に挿入される前記水桶の排出管には開閉バルブが結合されることを特徴とする請求項１又は２記載の足マッサージ器。
【請求項７】
前記ケースカバーの上面板に形成された挿入口にはラバーカバーが結合され、該ラバーカバーには固定密着ラバー及び可動密着ラバーの楕円形リブが係止される係止溝が形成されることを特徴とする請求項１又は２記載の足マッサージ器。
【請求項８】
前記下面噴射手段の噴射ヘッドは、前記上部ケースの底面に形成された足裏形態の仮想設置領域の内側に足の経絡位置に沿って配列されることを特徴とする請求項１又は２記載の足マッサージ器。
【請求項９】
前記本体の一方側には、氷、塩及び各種薬品などを前記下部ケースに着脱可能に設けられる水桶に投入するための投入管が設けられ、前記上部ケースの底面には、水を前記水桶に排水させるための排水口が設けられると共にその上面にフィルタが結合されることを特徴とする請求項１又は２記載の足マッサージ器。
【請求項１０】
前記ケースカバーに形成された足挿入口には挿入口密閉手段が具備され、前記挿入口密閉手段は、前記挿入口の一方側に固定される固定密着ラバーと、前記挿入口の他方側に結合される可動密着ラバーと、により構成され、ここで、前記固定密着ラバーは、楕円形リブの外周面に固定部が形成され、内周面に密着部が形成されて前記ケースカバーの上面板の下面に前記挿入口を沿って形成された係止部に前記固定部が係止されて固定された形態に形成され、また、前記可動密着ラバーは、取っ手が上面に形成されたプラスチック材の地板の一方側部に楕円形の係止部が形成され、密着部が内周面に形成されたゴム材の楕円形リブの外周面に固定部が形成されて前記係止部に係止されて固定された形態に形成されると共に、前記ケースカバーの上面板の下面に前記挿入口の両側に形成されたガイドに前記地板の両側辺部がスライド可能に挿入されて構成されることを特徴とする請求項１又は２記載の足マッサージ器。
【請求項１１】
前記ケースカバーの上面板の下面には、前記可動密着ラバーがスライド移動して使用者の足首に密着されると作動するリミットスイッチが付着されることを特徴とする請求項１０記載の足マッサージ器。
【請求項１２】
前記下面噴射手段及び上面噴射手段には、断続型噴射ヘッドがそれぞれ結合されると共に、指圧突起を断続的に出没させて指圧を行うための断続指圧手段が設けられ、前記下面噴射手段に設けられる断続指圧手段は、上部ケースの底面に設けられた断続型噴射ヘッドと一緒に足裏形態の仮想設置領域に全面的に配置されて複数個が結合され、前記上面噴射手段に設けられる断続指圧手段は、前記噴射ヘッドに隣接位置するようにして前記上面噴射手段の噴射管に結合されることを特徴とする請求項１又は２記載の足マッサージ器。
【請求項１３】
前記断続指圧手段は、加圧通路の円形開口部に多段摺綴管及び指圧突起が弾性復元部材を介在して摺綴可能に結合され、前記指圧突起の上端部にはゴムギャップが結合され、前記加圧通路には、断続バルブを介在して断続加圧手段がパイプにより連結されることを特徴とする請求項１２記載の足マッサージ器。
【発明の詳細な説明】
【０００１】
発明の技術分野
本発明は、足マッサージ器に係るもので、詳しくは、本体の内部に設けられる下面噴射手段、上面及び後面に水流を断続型に噴射するための断続型噴射ヘッドが結合され、上部ケースが下部ケースに対して角度調節可能に結合され、足を置くための踏み台の中間部に指圧ローラが設けられ、芳香剤噴射手段及び熱風乾燥手段などが結合され、着脱型水桶とポンプ間にヒーターが設けられ、本体の一方側に氷、塩またはその他の有益な薬品を本体の下部に設けられた分離型水桶に投入するための投入管が設けられて、指圧ローラによる指圧、冷、温水マッサージ、塩マッサージ及び薬物マッサージなどの各種マッサージを多様且つ效果的に行い得る足マッサージ器に関するものである。
【０００２】
発明の背景
従来、足マッサージ器としては、水中で気泡を利用するものや、電気バイブレーターを利用したものなどが公知されている。
然るに、このような従来のマッサージ器においては、次のような不都合な点があった。
即ち、前記気泡発生器を利用する足マッサージ器の場合、薬品などを利用するときは便利であるが、衝撃若しくは圧迫のようなマッサージ効果は殆ど期待することができず、また、前記電気バイブレーターを利用したものの場合は、薬品などの利用が不可能で、足に振動を与える程度にすぎないので、瞬間的な衝撃または持続的な衝撃による圧迫のようなマッサージ効果が大きく低下するという不都合な点があった。
【０００３】
発明の詳細な説明
本発明は、従来のような問題点に鑑みてなされたもので、水圧を利用して足裏は勿論、足の甲まで連続的または断続的に衝撃を与えてマッサージ効果を増大することが可能で、また、薬品マッサージまたは冷温マッサージを必要に応じて選択可能な足マッサージ器を提供することを目的とする。
本発明の他の目的は、上部ケースを下部ケースに対して角度調節できるように構成し、水流によるマッサージと、踏み台の中間部上に設けられた指圧ローラによる指圧と、を同時に行い得る足マッサージ器を提供しようとする。
【０００４】
本発明のその他の目的は、芳香剤噴射手段及び熱風乾燥手段を備えて構成されて、マッサージ中に芳香剤を噴射することが可能で、マッサージ後、熱風により濡れた足を簡便に乾燥し得る足マッサージ器を提供しようとする。
本発明のその他の目的は、着脱型水桶とポンプとの間にヒーターが設けられ、本体の一方側に氷、塩及び各種薬品などを本体の下部に設けられた分離型水桶に投入するための投入管が設けられて、指圧ローラによる指圧、冷、温水マッサージ、塩マッサージ及び薬物マッサージなどの各種マッサージを多様且つ效果的に行い得る足マッサージ器を提供しようとする。
【０００５】
本発明のその他の目的は、足裏及び足の甲のような部位を指圧するための多数個の指圧突起を空気圧などを利用して断続的に出没させ、それら指圧突起により指圧を行って指圧効果を倍加し得る足マッサージ器を提供しようとする。
このような目的を達成するため、本発明に係る足マッサージ器においては、本体が上部ケースと下部ケースとに大別され、上部ケースには開閉可能なケースカバーが形成されて本体の内部の隅々まで容易に掃除することができるため、常に衛生的に使用することができる。
【０００６】
前記ケースカバーには、強力に噴射される水流を完壁に遮断し得る足首固定用の密着ラバーが付着され、該密着ラバーは、伸縮性のあるゴム材質の特性や密着部及びシワ部などを活用してスライド方式、若しくは、足首サイズに合わせて引き締めて固定させる方式に設計され、また、ケースカバーにはスライド密着ラバーにより作動されるリミットスイッチが付着されて、使用者のミス操作により水が外部に跳ねることを防止することができる。
また、薬品や塩を添加して使用した後、浄水を入れて作動させて洗浄するときに備えて、ケースカバーの足首挿入口を塞ぐためのラバーカバーが設けられ、長期保管時や使用しない時には、前記ラバーカバーを塞いで置くことによってホコリや異質物などが本体内部に入ることを防止し得る効果がある。
【０００７】
前記本体の内部には、下面だけでなく上面及び後面にもそれぞれ噴射ノズルを備えた噴射ヘッドが構成され、それら噴射ヘッドの各ノズルは、水流の多いシャワー型でなく、数多くの実験により最も強く水を噴射することができると立証された３個の孔が形成されて、それら３個の噴射ノズルから強く噴射される水流は、噴射ヘッドに設けられたインペラの回転によって交互に極めて短時間の間に開閉される動作を反復して断続効果を発生させ、断続的な水流が足に噴射されて足を刺激することによってマッサージ効果が極大化される。
【０００８】
前記噴射ヘッドは、同一水圧で最も強い水流を噴射することができるように、例えば、約４０ヶ所に設けられ、１個の噴射ヘッドにそれぞれ３個のノズル孔が形成されているため、合わせて１２０本の水流が足全体を強く断続的にマッサージして、極めて短時間内にマッサージ効果を極大化することができる。
前記噴射ヘッドは、上部ケースの底面に足裏形態の仮想設置領域の内側に複数個の円筒形凹入部が形成され、各凹入部に断続型噴射ヘッドがそれぞれ設置され、その下部に設けられる加圧水室に加圧送水管が連結されて構成される。
前記噴射ヘッドは、足の経絡位置に沿って配列して構成することが可能で、この場合、経絡マッサージ効果が一層得られる。
【０００９】
前記噴射ヘッドが設けられる部分には指圧突起を断続的に出没させて指圧を行うための断続指圧手段が必要に応じて設けられ、それら指圧突起を空気圧などを利用して出没させると、足を叩くようにして指圧を行なうことができるので、指圧効果が倍加される。
前記本体の内部には、ノズルからの水圧が極大化される１００〜１５０ｍｍ地点に足を載せるように金属網からなる踏み台を設け、該踏み台の中間部に指圧ローラを設け、本体の一方側には投入管を設けて、該投入管を介して投入される氷、塩および各種薬品などが本体の下部に設けられた分離型水桶の水と混合されるため、指圧ローラによる指圧、冷、温水マッサージ、塩マッサージ及び薬物マッサージなど、多様且つ効果的なマッサージを行い得るように構成される。
【００１０】
前記本体の内部底面は、前方側が高く後方側が低い傾斜を有しているため、強力に噴射された水が底面の後方側に設けられた排水口を介して本体下部の分離型水桶に流入され、前記排水口に結合された金属網のようなフィルタにより各種異質物がフィルタリングされるので、フィルタリングされた水だけが水桶に流入され、また、前記フィルタは容易に着脱可能で、清掃も容易である。また、前記フィルタとして弾性フィルタなどを使用して水を一層精製して使用することもできる。
【００１１】
前記水桶は、着脱可能な分離型であるため、本体からの分離が容易で、清掃が簡便で、流量表示目盛りが具備されているため内容量を容易に確認し、水の注入を正確に行うことが可能で、いちいち本体を水近くまで運搬せずに水桶だけ運搬すればよいので、使用の便利性が一層向上する。
前記水桶の上部には紫外線ランプが設けられているため、水桶中の水を殺菌消毒して衛生的なマッサージが可能で、水桶を本体の下部に入れると水桶の排出管がポンプの引入給水管に結合されながら水桶の排出管に設けられたバルブが開放され、また、水桶を外側に引っ張り出すとバルブが閉められる構造になっているため、取り扱いが極めて簡便である。
【００１２】
前記水桶の排出管にはフィルタが結合されているため、清潔な水を利用してマッサージをすることができる。また、前記水桶の排出管とポンプの給水管間にもフィルタを結合させて二重フィルタを採択すると、より清潔な水を利用してマッサージをすることが可能で、ポンプモーターに異質物が流入するのをより確実に防止することができる。
前記ポンプの中間部には加熱手段のヒーターが内装されているため、水温を適正に高めることが可能で、前記加熱手段は、水温を感知するための精密な温度センサーと電子回路とにより構成されている。また、加熱方式としては、アルミニウムダイキャスティング材の円形管にヒーターを内装させて寿命を延長させ、水による漏電などの危険性を除去した安全設計を採用し、円形管の水の通路である内径部を凹凸構造に形成して、熱效率を極大化する。
【００１３】
前記水桶により供給されて加熱部を通過した水はポンプに流入され、該ポンプのポンピング力により移送される水は本体の下面、上面及び後面に均等に配置された噴射ヘッドに直送され、それら噴射ヘッドに結合されたインペラを回転させるために円筒部の周壁に対称形成された流入孔に流入され、噴射ヘッドのインペラが水の噴射圧により回転し、よって、前記インペラの遮断板がノズルカバーに形成されたノズル孔を周期的に開閉しながら水が断続的に強力噴射されて足全体をマッサージするように構成され、このように水がいちいち小さい管を介して移送されず、一層強く一定した圧力を有するように下面噴射手段、上面噴射手段及び後面噴射手段に分けて水の通路部としてだけ形成された最小容量の加圧水室を形成するため、水の圧力を増加して水流がより勢いよく、また、各ノズルが同様の最小容量の加圧水室と直結しているため、同一水圧が維持されるように構成される。
【００１４】
前記本体の上部ケース及び下部ケースは、それらの後面部をヒンジ結合して固定された下部ケースから上部ケースの前面部を持ち上げる構造に簡便に操作して角度を調節し得るように設計されているため、使用者の便宜によって上部ケースの角度を任意に調節して最も安らかな角度で使用できるように人体工学的構造に構成されている。
前記本体のケースカバーには、本体の内部に芳香剤を噴射するための芳香剤噴射手段が結合され、且つ、足マッサージを終了した後、足を乾燥させるための熱風乾燥手段が設けられている。
【００１５】
なお、以上の全ての機能を遂行するために、使用者が最も操作しやすい地点の製品の前方側に電源スイッチを始めとし、水圧を高低に調節し得る水圧調節スイッチ、水の温度を低温、中温、高温に調節し得る温度調節スイッチ、使用時間を５分、１０分、２０分などに調節する時間調節スイッチ、紫外線殺菌ランプをオンオフさせる紫外線殺菌ランプスイッチ及び乾燥機を作動させる乾燥機スイッチなどの各種機能を制御するための操作パネルが構成され、それら全ての機能は電子回路により制御される。
【００１６】
発明を実施するための最良の形態
添付された図面を参照して本発明の最も望ましい実施形態を説明すると次の通りである。
図１乃至図１０は、本発明に係る足マッサージ器の第１実施形態を示したもので、図１は斜視図、図２は階段型縦断面図、図３は部分切欠側面図、図４は横断面図をそれぞれ示したものである。
図示されたように、本発明に係る足マッサージ器の第１実施形態においては、下部ケース２０の上面一方端部に上部ケース１０がヒンジ３０により回転可能に結合され、前記下部ケース２０の上面他方端部には前記上部ケース１０の角度を調節するための角度調節手段４０が結合されている。
【００１７】
前記上部ケース１０の内部底面には下面噴射手段１００が設けられ、内部上方側の前方側には上面噴射手段１１０が設けられ、後方側には後面噴射手段１２０が設けられ、前記各噴射手段１００、１１０、１２０には断続型噴射ヘッド１５０が備えられて使用者の足に下部、上方側の前、後部から水を断続的に噴射するように構成されている。
そして、前記下面噴射手段１００は、前記上部ケース１０の底面に足裏形態の仮想設置領域Ｌの内側に複数個の円筒形凹入部１１が形成され、それら凹入部１１には断続型噴射ヘッド１５０がそれぞれ設けられ、その下部に形成される加圧水室１２に加圧送水管２２０が連結されている。
【００１８】
ここで、前記下面噴射手段１００の複数個の断続型噴射ヘッド１５０は、部分的または全体的に足の経絡位置を沿って配列設置することができる。
前記上面噴射手段１１０及び後面噴射手段１２０は前記加圧送水管２２０に連結され、各噴射管１１１、１２１の上端部に前記断続型噴射ヘッド１５０がそれぞれ結合されている。
前記加圧送水管２２０は、前記上部ケース１０の角度を調節する時、撓むようにフレキシブルホースを利用することが望ましい。
【００１９】
また、前記噴射ヘッド１５０においては、図１０（Ａ）（Ｂ）（Ｃ）に示したように、軸突起１５２が中央部に形成され、加圧水が流入される１対の流入孔１５８が周壁に形成される円筒部１５１と；複数個のブレード１５３がハブ１５６の外周面に渦巻型に形成され、前記一部のブレード１５３を遮蔽する遮断板１５４が上部に形成されて前記円筒部１５１の軸突起１５２に軸支されるインペラ１５５と；前記円筒部１５１にねじ結合され、複数個（例えば、３個）のノズル１５６が形成されたノズルカバー１５７と；により構成されて、前記円筒部１５１の流入孔１５８に流入される加圧水が前記インペラ１５５の回転により自動開閉されるノズルカバー１５７のノズル１５６を介して断続的に噴射されるようになっている。
【００２０】
本実施形態においては、前記上部ケース１０の底面に一体形成された凹入部１１が前記噴射ヘッド１５０の円筒部１５１としての役割をするように構成されているが、前記上部ケース１０の底面とは別途に分離製造して利用することも可能で、この場合、前記噴射ヘッド１５０は、円筒部１５１、インペラ１５５及びノズルカバー１５７が組立されて形成された別途の組立体となる。
前記上部ケース１０の底面中間部には１対のローラ支持板６１が形成され、それらローラ支持板６１には軸棒６２が固定され、該軸棒６２の両方側部には指圧ローラ６０がそれぞれ結合されて、足を載せて前記指圧ローラ６０を転がしながら指圧をするようになっている。
【００２１】
前記上部ケース１０の内部には、下方側の前記噴射ヘッド５０とは間隔を維持しながら足を載せるための踏み台７０が結合され、前記上部ケース１０の内部底面には各噴射手段１００、１１０、１２０から噴射された水を排水させるための排水口１４が幅方向に長く形成され、該排水口１４の上面には異質物をフィルタリングするためのフィルタ１５が結合されている。
前記上部ケース１０の上部には、熱風により足を乾燥させるための熱風乾燥手段１９０及び芳香剤を噴射するための芳香剤噴射手段１６０がそれぞれ具備され、前記上部ケース１０に結合されるケースカバー１８の上面板には足を挿入するための挿入口１３が中間部に形成され、前記挿入口１３には挿入口密閉手段８０が具備され、前記上部ケース１０の先端部には操作パネル９０が具備されている。
【００２２】
そして、前記角度調節手段４０は、前記下部ケース２０の上面板の前方端部に固定された固定管４１と、該固定管４１の内部にスプリング（未図示）を介在して挿入され、上端部が半球型に形成される調節棒４２と、前記上部ケース１０の底面の前方端部に形成され、前記調節棒４２の上端部が接触支持されるシーツ部４３と、前記固定管４１の上端部に結合されるセットスクリュー４４と、により構成されている。
且つ、前記挿入口密閉手段８０は、図１及び図２に示したように、前記ケースカバー１８の上面板に足を挿入できるように長い楕円形に形成された前記挿入口１３の後方側には固定密着ラバー８１が固定され、前方側には可動密着ラバー８２がスライド移動可能に結合されている。
【００２３】
ここで、前記固定密着ラバー８１は、楕円形リブ８１ａの外周面に固定部８１ｂが形成され、内周面に密着部８１ｃが形成されて前記ケースカバー１８の上面板の下面に前記挿入口１３を沿って形成された係止部１３ａに前記固定部８１ｂが係止されて固定された形態に形成され、また、前記可動密着ラバー８２は、取っ手８２ｆが上面に形成されたプラスチック材の地板８２ａの一方側部に楕円形の係止部８２ｅが形成され、密着部８２ｃが内周面に形成されたゴム材の楕円形リブ８２ｂの外周面に固定部８２ｄが形成されて前記係止部８２ｅに係止挟されて固定された形態に形成され、前記ケースカバー１８の上面板の下面に前記挿入口１３の両側に形成されたガイド１３ｂに前記地板８２ａの両側辺部がスライド可能に挿入されている。
【００２４】
前記ケースカバー１８の上面板の下面には、前記可動密着ラバー８２がスライド移動して使用者の足首に密着されると作動するリミットスイッチ８９が付着されて、該リミットスイッチ８９が接続された時にのみ足マッサージ器が作動するようにして、使用者の過ちによる操作により水が外側に跳ねることを防止するように構成されている。
前記操作パネル９０には、電源スイッチ９１、時間調節スイッチ９２、水圧調節スイッチ９３、ヒータースイッチ９４、紫外線殺菌ランプスイッチ９５及び乾燥器スイッチ９６などが設けられている。
【００２５】
前記ケースカバー１８の上面板に形成された前記挿入口１３には、使用しない時のためのラバーカバー１７が結合され、該ラバーカバー１７には前記固定密着ラバー８１と前記可動密着ラバー８２の楕円形のリーブ８１ａ、８２ｂが係止される係止溝１７ａが形成されている。
前記熱風乾燥手段１９０は、図６に示したように、前記上部ケース１０の上部一方側にブロアー１９１が結合され、送風路の前方側にセラミックヒーター１９２が結合される形態に構成することが可能で、このとき、前記セラミックヒーター１９２としては、遠赤外線を放射するセラミックを利用することができる。
【００２６】
前記芳香剤噴射手段１６０は、図５に示したように、投入筒１６２に液状の芳香剤を入れてボタン１６１を押すと噴射装置１６３により芳香剤が噴射される通常のスプレー式方向噴射機を利用することができる。
前記下部ケース２０にはポンプ２００が固定され、該ポンプ２００の下側部には給水管２１０が結合され、前記ポンプ２００の上側部には加圧送水管２２０が結合され、前記下部ケース２０の後方部に開口部２１を介して挿入される水桶１３０の周壁下端部に形成された排出管１３１は、その内部に開閉バルブ１４０が結合され、内側端部にはフィルタ１３６が結合されている。
【００２７】
前記水桶１３０は、透明なプラスチックなどにより形成され、取っ手１３４及び水位を表示する目盛り１３５が具備されている。
前記開閉バルブ１４０は、図７（Ａ）、（Ｂ）に示したように、前記水桶１３０の排出管１３１を前記ポンプ２００の給水管２１０に押し入れると、該給水管２１０の突出ピン２１１により前記排出管１３１に結合されたスプリング１３３及びバルブ体１３２が一緒に押されて通路が開放されるように形成され、また、前記給水管２１０には給水される水を加熱するための加熱手段１８０が結合されている。
【００２８】
ここで、前記加熱手段１８０は、図８（Ａ）、（Ｂ）に示したように、アルミニウム材の円形管１８１の周壁両方側にヒーター１８２が結合されて構成され、前記円形管１８１の内周面は、熱伝逹を行うための凹凸構造に形成され、前記円形管１８１の外周面には前記ヒーター１８２を結合するための結合部１８３が形成され、前記円形管１８１の両方端部には、パイプに連結するためのねじ部が形成されている。
また、前記上部ケース１０の一方側部には薬品及び氷などを投入するための投入管１７０が結合され、底面には投入口１７１が形成されて投入物が前記水桶１３０の内部に落ちるよう形成され、前記ケースカバー１８の上面板に露出される前記投入管１７０の上端部にはカバー１７２が結合されている。
【００２９】
また、前記上部ケース１０の下部には、前記水桶１３０の上部に位置するように紫外線殺菌ランプ２３０が設けられている。
図９は、前記挿入口密閉手段の他の実施形態を示したもので、図示されたように、ケースカバー１８の上面板に形成された挿入口１３に密着台８３が固定され、該密着台８３の両端部内側にはシワ部材８７が付着され、前記密着台８３の一方端部には、複数個の固定孔が穿孔形成された固定バンド８４の一方端部が固定部材８５により固定され、前記密着台８３の他方端部には、前記固定バンド８４の固定孔に係止される固定具８６が固定されて、あたかも履き物の上部構造のような形に形成されている。
【００３０】
図１１ないし図１３は、本発明に係る足マッサージ器の他の実施形態を示したもので、図１１は階段型縦断面図、図１２は横断面図、図１３（Ａ）（Ｂ）は指圧突起の構成及び作用を示した縦断面図、がそれぞれ示されている。
詳しくは、下面噴射手段１００及び上面噴射手段１１０に断続型噴射ヘッド１５０がそれぞれ結合されると共に、指圧突起２３３を断続的に出没させて指圧を行うための断続指圧手段２３０が設けられている。
ここで、前記下面噴射手段１００に設けられる断続指圧手段２３０は、上部ケース１０の底面に設けられた断続型噴射ヘッド１５０と一緒に足裏形態の仮想設置領域Ｌに全面的に配置されて複数個が結合され、前記上面噴射手段１１０に設けられる断続指圧手段２３０は、前記噴射ヘッド１５０に隣接位置するようにして噴射管１２１に結合される。
【００３１】
前記断続指圧手段２３０は、加圧通路２３１の円形開口部に多段摺綴管２３２及び指圧突起２３３が引張スプリングのような弾性復元部材２３６を介在してアンテナ型に摺綴可能に結合され、前記指圧突起２３３の上端部にはゴムギャップ２３４が結合され、前記加圧通路２３１には、流れを断続させるためのソレノイドバルブのような断続バルブ２４１を介在して空気圧縮機のような断続加圧手段２４０がパイプ２４２により連結された構成を有する。
前記多段摺綴管２３２は、例えば、前記加圧通路２３１に結合される下側管及び前記指圧突起２３３が結合される上側管の２個の管により形成され、前記上側管には排出孔２３５が形成された形態を利用することができる。
また、前記断続指圧手段２３０を後面噴射手段１２０に設けることも可能で、前記断続指圧手段２３０が設けられる位置及び個数は多様に変更することができる。
【００３２】
以下、このように構成された本発明による足マッサージ器の作用について説明する。
本発明に係る足マッサージ器を使用するためには、先ず、水桶１３０に水を適正な水位まで溜めた後、本体の下部ケース２０に形成された開口部２１を介して前記下部ケース２０の内部に前記水桶１３０を入れる。このようにすると、前記水桶１３０の排出管１３１がポンプ２００の給水管２１０の先端部に挿入されながら前記排出管１３１に結合された開閉バルブ１４０が前記給水管２１０の突出ピン２１１に押されて開放される。
また、本体の中間部に設けられた角度調節手段４０により上部ケース１０の角度を使用者が安らかな姿勢で利用できるように調節する。
【００３３】
次いで、ラバーカバー１７を開いて、ケースカバー１８に形成された挿入口１３を介して両足を入れて上部ケース１０の内部に設けられた踏み台７０上に載せた後、挿入口密閉手段８０の可動密着ラバー８２を取っ手８２ｆを利用してスライド移動させて固定密着ラバー８１に接触させる。
このようにすると前記可動密着ラバー８２によりリミットスイッチ８９が接続され、該リミットスイッチ８９の感知信号により足マッサージ器が作動するようになる。
【００３４】
次いで、操作パネル９０の電源スイッチ９１、時間調節スイッチ９２、水圧調節スイッチ９３及び紫外線殺菌ランプスイッチ９５を必要によって操作すると、前記水桶１３０の水が前記ポンプ２００のポンプ力によって前記水桶１３０の排出管１３１から排出され、このとき、フィルタ１３６を通過しながら異質物が除去され、上部の紫外線殺菌ランプ２３０により殺菌されて清潔な水が前記ポンプ２００の給水管２１０に流入された後、加圧送水管２２０を介して前記上部ケース１０の内部に具備された下面噴射手段１００の加圧水室１２及び上、後面噴射手段１１０、１２０の各噴射管１１１、１２１にポンピングされて、各噴射手段１００、１１０、１２０の噴射ヘッド１５０から強い噴射圧により噴射される。
【００３５】
詳しくは、前記噴射ヘッド１５０では、円筒部１５１の周壁に形成された流入孔１５８を介して水が流入されると、前記円筒部１５１に軸支されたインペラ１５５が回転しながら遮断板１５４がノズルカバー１５７に形成されたノズル１５６を周期的に開閉するため、水流が断続的に噴射され、このように断続的に噴射される水流が強力な噴射圧を有して足裏、足の甲及び足首などを全体的に均等にたたき刺激することによってマッサージ効果は極大化される。
【００３６】
また、足マッサージ器を利用しながら必要に応じて投入管１７０に塩及び各種薬品を投入して利用することが可能で、また、加熱手段１８０のヒーター１８２を作動させて水を適正温度に加熱して利用するか、若しくは、前記投入管１７０に氷を投入して水を適正温度に冷却させて利用すると、冷、温水マッサージ、塩マッサージ、薬物マッサージ等の各種マッサージを多様、且つ、效果的に行なうことが可能で、更に指圧ローラ６０による指圧効果も得ることができる。
次いで、前記各噴射手段１００、１１０、１２０の噴射ヘッド１５０から噴射された水流は、足を全体的に均等にマッサージした後、前記上部ケース１０の下部に流れて傾斜された前記上部ケース１０の底面を沿って排水口１４に集まり、異質物がフィルタ１５によりフィルタリングされた後、前記水桶１３０に流入されて循環、噴射される。
【００３７】
このように前記下面噴射手段１００、上面噴射手段１１０及び後面噴射手段１２０の断続型噴射ヘッド１５０により水を噴射してマッサージを行いながら、前記下面噴射手段１００及び上面噴射手段１１０に結合された複数個の断続指圧手段２３０に断続加圧手段２４０から伝送される圧縮空気などが供給されると、加圧通路２３１の円形開口部に結合された多段摺綴管２３２及び指圧突起２３３が弾性復元部材２３６の弾力により折畳まれた状態（図１３（Ｂ）参照）から、突出した状態になる（図１３（Ａ）参照）。
【００３８】
そして、前記断続加圧手段２４０の断続バルブ２４１により圧縮空気の供給が周期的に開閉されることによって前記指圧突起２３３が折畳まれてから突出される動作が反復され、よって、前記各指圧突起２３３の上端部に付着されたゴムギャップ２３４が使用者の足裏及び足の甲を軽く叩くようになるので、複数個の指圧突起２３３による指圧効果が得られる。
以上のような過程を経由して足マッサージが終了すると、前記ポンプ２００及び紫外線殺菌ランプ２３０などを停止させた後、熱風乾燥手段１９０のブロアー１９１及びセラミックヒーター１９２を作動させて熱風により濡れた足を乾燥された後、マッサージ器の外部に足を取出してから電源スイッチ９１を押して電源をオフさせる。
【００３９】
一方、本発明に係る足マッサージ器を所定時間使用した後、本体の内部を洗浄しようとする時は、前記水桶１３０に浄水を入れ、挿入口１３の挿入口密閉手段８０にラバーカバー１７をした後、作動させて洗浄を行う。
また、本体の内部を清掃しようとする場合も、本体が上部ケース１０と下部ケース２０とに分離され、前記上部ケース１０には開閉可能なケースカバー１８が結合されているので、該ケースカバー１８を開いて本体内部の隅々まで容易に清掃することができる。
【００４０】
産業上の利用可能性
以上説明したように、本発明に係る足マッサージ器は、本体を清掃する時、内部の隅々まで容易に清掃することができるため、常に衛生的に使用することができる。
ケースカバーに足首固定用の密着ラバーが付着されているため、強力に噴射される水流を完壁に遮断することが可能で、前記密着ラバーが伸縮性のあるゴム材質の特性や密着部及びシワ部などを活用してスライド方式、若しくは、足首サイズに合わせて引き締めて固定させる方式に設計されているため、足首の着用感が良く、使用者ごとに相異する足首サイズに全て合わせることが可能で、また、ケースカバーにはスライド密着ラバーにより作動されるリミットスイッチが付着されているため、使用者のミス操作により水が外部に跳ねることを防止することができる。
【００４１】
ケースカバーの足首挿入口を塞ぐためのラバーカバーが設けられているため、本体を洗浄する場合、前記ラバーカバーを塞いで安全に洗浄することが可能で、長期保管時や使用しない時には、前記ラバーカバーを塞いで置くことによってホコリや異質物などが本体内部に入ることを防止し得る効果がある。
前記本体の内部には、下面だけでなく上面及び後面にもそれぞれ噴射ノズルを備えた噴射ヘッドが構成され、それら噴射ヘッドの各ノズルは、水流の多いシャワー型でなく、数多くの実験により最も強く水を噴射することができると立証された３個の孔が形成されて、それら３個の噴射ノズルから強く噴射される水流は、噴射ヘッドに設けられたインペラの回転によって交互に極めて短時間の間に開閉される動作を反復して断続効果を発生させ、断続的な水流が足に噴射されて足を刺激することによってマッサージ効果が極大化される。
前記噴射ヘッドは、同一水圧で最も強い水流を噴射することができるように、例えば、約４０ヶ所に設けられ、１個の噴射ヘッドにそれぞれ３個のノズル孔が形成されているため、合わせて１２０本の水流が足全体を強く断続的にマッサージして、極めて短時間内にマッサージ効果を極大化することができる。
【００４２】
前記水桶により供給されて加熱部を通過した水はポンプに流入され、該ポンプのポンピング力により移送される水は本体の下面、上面及び後面に均等に配置された噴射ヘッドに直送され、それら噴射ヘッドのインペラが水の噴射圧により回転し、よって、前記インペラの遮断板がノズルカバーに形成されたノズル孔を周期的に開閉しながら水が断続的に強力噴射されて足全体をマッサージするようになり、このように水がいちいち小さい管を介して移送されず、一層強く一定した圧力を有するように下面噴射手段、上面噴射手段及び後面噴射手段に分けて水の通路部としてだけ形成された最小容量の加圧水室を介して噴射されるため、水の圧力が増加して水流がより勢いよく、また、各ノズルが同様の最小容量の加圧水室と直結しているため、同一水圧が維持される。
【００４３】
前記本体の内部には、ノズルからの水圧が極大化される地点に足を載せられるように踏み台が設けられ、踏み台の中間部には指圧ローラが設けられ、本体の一方側に投入管が設けられているため、該投入管を介して投入される氷、塩及び各種薬品などが本体の下部に設けられた分離型水桶の水と混合されて、指圧ローラによる指圧、冷、温水マッサージ、塩マッサージ及び薬物マッサージ等の多様なマッサージを楽しむことができる。
前記噴射ヘッドは、足の経絡位置に沿って配列した場合、経絡マッサージ効果が一層得られる。
【００４４】
前記下面、上面及び後面噴射手段には、複数個の指圧突起を有する断続指圧手段が設けられ、それら指圧突起を空気圧などを利用して断続的に出没させて指圧を行なうことができるので、指圧効果が倍加される。
前記本体の内部底面は、前方側が高く後方側が低い傾斜を有しているため、強力に噴射された水が底面の後方側に設けられた排水口を介して本体下部の分離型水桶に流入され、前記排水口に結合されたフィルタにより各種異質物がフィルタリングされるので、フィルタリングされた水だけが水桶に流入され、また、前記フィルタは容易に着脱可能で、清掃も容易である。
【００４５】
前記水桶は、着脱可能な分離型であるため、本体からの分離が容易で、清掃が簡便で、流量表示目盛りが具備されているため内容量を容易に確認し、水の注入を正確に行うことが可能で、いちいち本体を水近くまで運搬せずに水桶だけ運搬すればよいので、使用の便利性が一層向上する。
前記水桶の上部には紫外線ランプが設けられているため、水桶中の水を殺菌消毒して衛生的なマッサージが可能で、水桶を本体の下部に入れると水桶の排出管がポンプの引入給水管に結合されながら水桶の排出管に設けられたバルブが開放され、また、水桶を外側に引っ張り出すとバルブが閉められる構造になっているため、取り扱いが極めて簡便である。
【００４６】
前記水桶の排出管にはフィルタが結合されているため、清潔な水を利用してマッサージをすることができる。また、前記水桶の排出管とポンプの給水管間にもフィルタを結合させて二重フィルタを採択すると、より清潔な水を利用してマッサージをすることが可能で、ポンプモーターに異質物が流入するをより確実に防止することができる。
前記ポンプの中間部には加熱手段のヒーターが内装されているため、水温を適正に高めることが可能で、前記加熱手段は、アルミニウムダイキャスティング材の円形管にヒーターを内装させて、寿命が永く、水による漏電などの危険性が低下して安全に使用することが可能で、円形管の水の通路である内径部が凹凸構造に形成されているため、熱效率が極大化される。
【００４７】
前記本体の上部ケース及び下部ケースは、それらの後面部をヒンジ結合して固定された下部ケースから上部ケースの前面部を持ち上げるように人体工学的構造に設計されているため、使用者の便宜によって上部ケースの角度を任意に調節して最も安らかな角度で使用することができる。
前記本体のケースカバーに芳香剤噴射手段が結合されているため、芳香剤を本体の内部に噴射しながらマッサージを行なうことができる。
前記本体の内部に熱風乾燥手段が設けられているため、足マッサージを終了すると、足を簡便に乾燥させることができる。
【図面の簡単な説明】
【図１】本発明に係る足マッサージ器の第１実施形態を示した斜視図である。
【図２】本発明に係る足マッサージ器の第１実施形態の階段型縦断面図である。
【図３】本発明に係る足マッサージ器の第１実施形態の部分切欠側面図である。
【図４】本発明に係る足マッサージ器の第１実施形態の横断面図である。
【図５】本発明に係る足マッサージ器の第１実施形態における熱風乾燥手段を示した縦断面図である。
【図６】本発明に係る足マッサージ器の第１実施形態における芳香剤噴射手段を示した縦断面図である。
【図７】本発明に係る足マッサージ器の第１実施形態における水タンク排出バルブを示す図で（Ａ）は構成、（Ｂ）は作用を示した縦断面図である。
【図８】本発明に係る足マッサージ器の第１実施形態におけるヒーターを示した図で、（ａ）は側面図、（ｂ）は縦断面図である。
【図９】本発明に係る足マッサージ器の挿入口密閉手段の他の実施形態を示した斜視図である。
【図１０】本発明に係る足マッサージ器の噴射ヘッドの構成及び作用を示した説明図である。
【図１１】本発明に係る足マッサージ器の他の実施形態を示した階段型縦断面図である。
【図１２】本発明に係る足マッサージ器の他の実施形態を示した横断面図である。
【図１３】本発明に係る足マッサージ器の指圧突起を示す図で（Ａ）は構成、（Ｂ）は作用を示した縦断面図である。
【図１】
0003590400.tif 000002
【図２】
0003590400.tif 000003
【図３】
0003590400.tif 000004
【図４】
0003590400.tif 000005
【図５】
0003590400.tif 000006
【図６】
0003590400.tif 000007
【図７Ａ】
0003590400.tif 000008
【図７Ｂ】
0003590400.tif 000009
【図８Ａ】
0003590400.tif 000010
【図８Ｂ】
0003590400.tif 000011
【図９】
0003590400.tif 000012
【図１０Ａ】
0003590400.tif 000013
【図１０Ｂ】
0003590400.tif 000014
【図１０Ｃ】
0003590400.tif 000015
【図１１】
0003590400.tif 000016
【図１２】
0003590400.tif 000017
【図１３Ａ】
0003590400.tif 000018
【図１３Ｂ】
0003590400.tif 000019